(57)【特許請求の範囲】
【請求項１】
側溝と集水桝が連結されて水路が形成され、前記連結された側溝の底面から集水桝底面までの長さが異なる各種集水桝へ設置される兼用型ゴミキャッチ装置であり、
略方形状に形成した枠体と、リング状をなす凹部が外周面を囲んで長手方向に向かい複数個連続形成された棒状基体により形成された脚部構成部材と、を備え、
前記枠体を構成する一対の平行する枠体構成部に、脚部構成部材の基部を添設して固着し、４本の脚つき収集枠体を構成し、
前記４本の脚には、各々、パイプ状の長さ調整部材を被嵌し、脚の長さを、連結された側溝の底面から集水桝底面までの長さに調整し、該長さ調整部材の外側から締め付けて前記リング状をなす凹部内に前記長さ調整部材を折り曲げて係止させ、該収集枠体内に収集ネットを装着して、集水桝内へ設置した、
ことを特徴とする集水桝へ設置される兼用型ゴミキャッチ装置。
【請求項２】
側溝と集水桝が連結されて水路が形成され、前記連結された側溝の底面から集水桝底面までの長さが異なる各種集水桝へ設置される兼用型ゴミキャッチ装置であり、
略方形状に形成した枠体と、リング状をなす凹部が外周面を囲んで長手方向に向かい複数個連続形成された棒状基体を逆凹状に折り曲げ、一対の脚部と、該脚部を連結する基部と、を有して構成された脚部構成部材と、を備え、
前記枠体を構成する一対の平行する枠体構成部に、脚部構成部材の前記基部を添設して固着し、４本の脚つき収集枠体を構成し、
前記４本の脚には、各々、パイプ状の長さ調整部材を被嵌し、脚の長さを、連結された側溝の底面から集水桝底面までの長さに調整し、該長さ調整部材の外側から締め付けて前記リング状をなす凹部内に前記長さ調整部材を折り曲げて係止させ、該収集枠体内に収集ネットを装着して、集水桝内へ設置した、
ことを特徴とする集水桝へ設置される兼用型ゴミキャッチ装置。
【請求項３】
前記枠体と脚部構成部材は、異形鉄筋で構成した、
ことを特徴とする請求項１または請求項２記載の集水桝へ設置される兼用型ゴミキャッチ装置。
【発明の詳細な説明】
【技術分野】
【０００１】
本発明は、集水桝と連結された側溝の底面から集水桝底面までの長さが異なる各種集水桝へ設置される兼用型ゴミキャッチ装置に関するものである。
【背景技術】
【０００２】
従来、側溝には土砂などを集める集水桝が連結されており、該集水桝には泥溜め部があって、該泥溜め部に溜まった泥を定期的にスコップなどで取り除き、側溝部に土砂が堆積しないようにしていた。
尚、従来では例えば、特開平１０−１５９１６５号公開公報の様に、側溝から会所（桝）へボールやゴミ等が落ちないよう、また側溝へボールや落ち葉等が落ちても簡単に拾えるよう会所（桝）の入り口手前に設置するためのゴミキャッチネットの提案がなされている。
【先行技術文献】
【特許文献】
【０００３】
【特許文献１】特開平１０−１５９１６５号公報
【発明の開示】
【発明が解決しようとする課題】
【０００４】
しかしながら、ひとつひとつの集水桝の清掃をすべて行うのは大変な重労働であり、時間と手間がかかる。特に法面部の小段にある集水桝（図７参照）や高速道路脇の桝では、清掃時に危険も伴うとの課題があった。
また、集水桝と連結された側溝の底面から集水桝底面までの長さが異なる各種集水桝、すなわち、集水桝の深さが異なる各種の集水桝が存在しており、これら深さの異なる集水桝については、深さの異なるゴミキャッチ装置を設置しなければならないとの課題があった。
【０００５】
かくして、本発明は前記従来の課題に対処すべく創案されたものであって、集水桝への設置が簡単で、また、堆積した土砂やゴミ等の処分も簡単かつ安全に処分することができ、よって集水桝内の掃除のコストを下げることができ、さらには、深さの異なる集水桝についても、深さの異なるゴミキャッチ装置を設置することなく、一種類のゴミキャッチ装置で兼用できる集水桝のゴミキャッチ装置を提供することを目的とするものである。
【課題を解決するための手段】
【０００６】
本発明は、
側溝と集水桝が連結されて水路が形成され、前記連結された側溝の底面から集水桝底面までの長さが異なる各種集水桝へ設置される兼用型ゴミキャッチ装置であり、
略方形状に形成した枠体と、リング状をなす凹部が外周面を囲んで長手方向に向かい複数個連続形成された棒状基体により形成された脚部構成部材と、を備え、
前記枠体を構成する一対の平行する枠体構成部に、脚部構成部材の基部を添設して固着し、４本の脚つき収集枠体を構成し、
前記４本の脚には、各々、パイプ状の長さ調整部材を被嵌し、脚の長さを、連結された側溝の底面から集水桝底面までの長さに調整し、該長さ調整部材の外側から締め付けて前記リング状をなす凹部内に前記長さ調整部材を折り曲げて係止させ、該収集枠体内に収集ネットを装着して、集水桝内へ設置した、
ことを特徴とし、
または、
側溝と集水桝が連結されて水路が形成され、前記連結された側溝の底面から集水桝底面までの長さが異なる各種集水桝へ設置される兼用型ゴミキャッチ装置であり、
略方形状に形成した枠体と、リング状をなす凹部が外周面を囲んで長手方向に向かい複数個連続形成された棒状基体を逆凹状に折り曲げ、一対の脚部と、該脚部を連結する基部と、を有して構成された脚部構成部材と、を備え、
前記枠体を構成する一対の平行する枠体構成部に、脚部構成部材の前記基部を添設して固着し、４本の脚つき収集枠体を構成し、
前記４本の脚には、各々、パイプ状の長さ調整部材を被嵌し、脚の長さを、連結された側溝の底面から集水桝底面までの長さに調整し、該長さ調整部材の外側から締め付けて前記リング状をなす凹部内に前記長さ調整部材を折り曲げて係止させ、該収集枠体内に収集ネットを装着して、集水桝内へ設置した、
ことを特徴とし、
または、
前記枠体と脚部構成部材は、異形鉄筋で構成した、
ことを特徴とするものである。
【発明の効果】
【０００７】
本発明であれば、集水桝への設置が簡単で、また、堆積した土砂やゴミ等の処分も簡単かつ安全に処分することができ、よって集水桝内の掃除のコストを下げることができ、さらには、深さの異なる集水桝についても、深さの異なるゴミキャッチ装置を設置することなく、一種類のゴミキャッチ装置で兼用できるとの優れた効果を奏する。
【発明を実施するための最良の形態】
【０００８】
以下、本発明を図に示す実施例に基づいて説明する。
【０００９】
図１に本発明による集水桝のゴミキャッチ装置１の構成を示す。
本発明において、側溝と集水桝とが接続されて排水路が構成されている。ここで、本発明による集水桝のゴミキャッチ装置１は、連結された側溝２の底面３から集水桝底面４までの長さが異なる各種集水桝へ設置される兼用型ゴミキャッチ装置１として構成される。
【００１０】
この兼用型ゴミキャッチ装置１は、略方形状に折曲して形成した枠体５と、リング状をなす凹部６が外周面を囲んで長手方向に向かい複数個連続形成された棒状基体７により構成された脚部構成部材１０とを備えて構成される。
そして、前記枠体５を構成する一対の平行する枠体構成部１１の両端部（枠体５の隅角部）に、脚部構成部材１０の基端部１７を添設して固着し、もって４本の脚つき収集枠体１２を構成してある（図１参照）。
【００１１】
ところで、前述したように、集水桝と連結された側溝２の底面３から集水桝底面４までの長さが異なる集水桝はきわめて多く存在している。
その理由は、現場での施工において、若干の施工誤差が生じた場合や現場の設置環境により意識的に集水桝と連結された側溝２の底面３から集水桝底面４までの長さを一定の基準長さより変更せざるを得なかった場合などが考えられる。
【００１２】
しかしながら、いずれにしても本発明のゴミキャッチ装置の高さは、側溝底面３と略面一状態にすることが好ましい。すなわち、側溝底面３よりゴミキャッチ装置の高さが高い場合には、側溝２から流れてきたゴミが前記ゴミキャッチ装置に邪魔されて集水桝内に流れ込まず、また、側溝底面３よりゴミキャッチ装置の高さが低い場合には、集水桝の容量に見合った、すなわち集水桝容量いっぱいのゴミ収集が出来ないからである。
【００１３】
よって、それぞれの集水桝と連結された側溝２の底面３から集水桝底面４までの長さに合わせた脚部８の長さを有するゴミキャッチ装置を複数種類用意すべきであるが、それはきわめて不経済である。
【００１４】
しかして、本発明は、前記４本の脚部８に、各々、パイプ状の長さ調整部材１３を被嵌し、ゴミキャッチ装置の脚部８の長さが自由に調整できるものとした。
すなわち、前記長さ調整部材１３を用いて脚部８の長さを連結された側溝２の底面３から集水桝底面４までの長さに調整するのである。
【００１５】
その方法は、前記脚部８に長さ調整部材１３を被せ、脚部８の長さにつき長さ調整部材１３を使って所定の長さにする。そして、所定の長さに決定した後、長さ調整部材１３の外側から脚部８側に締め付ける。
すなわち、脚部８の外周面に設けられたリング状をなす凹部６内に係止するよう前記長さ調整部材１３を折り曲げ締め付けるのである。そして、この作業は４本の脚部８についてそれぞれ行う。
【００１６】
これによって、脚部８の長さを、連結された側溝２の底面３から集水桝底面４までの長さに簡単に調整できる。
次いで、脚部８の長さが調整された収集枠体１２内に収集ネット１４を装着して、各々の集水桝内へ設置すればよい。
尚、リング状をなす凹部６が外周面を囲んで長手方向に向かい複数個連続形成された棒状基体７については、異形鉄筋を使用することが考えられる。
【００１７】
符号１４はゴミ収集ネットであり、該ゴミ収集ネット１４は、ネット１５と紐１６とを有して構成されている。
ネット１５は、前記収集枠体１２を覆うように設置され、土砂やゴミを収集する。また、紐１６は、前記ネット１５の開口部を縛って収集枠体１２に固定する構成とされている。
【００１８】
尚、図を参照すると理解できるとおり、脚部８を方形状の枠体５の少し内側に位置させて添着してあることで、枠体５の下側に窪みができる形になる。これにより、ネット１５が取り付けやすく、また外れにくくなる。
すなわち、前記ネット１５を取り付ける際、ネット１５が前記枠体５をすっぽりと覆うことができ、該ネット１５上部を枠体５に沿って裏返して前記紐１６を縛れば、前記窪みに該紐１６がくい込んでネット１５を枠体５にしっかりと固定することができる。
【００１９】
なお、収集枠体１２は鉄などの重さのあるもので構成させることが好ましい。鉄などの重さのある収集枠体１２に前記ネット１５を取り付けて集水桝に設置すると、収集枠体１２の重さでネット１５が水に流されることはない。
【００２０】
しかして、集水桝に設置された前記ゴミキャッチ装置１は、流れ込んでくる土砂やゴミを収集する。
そして、堆積した土砂やゴミは、前記ネット１５ごと取りだし、そのまま紐１６を縛ってネット開口部を閉じることで、当該ネットごと処分することができる。このように、土砂やゴミを簡単に収集、かつ処分できることがポイントである。
【００２１】
従来のようにスコップを用いて土砂等を取り除く手間を省くことができると共に、特に、法面部の小段にある集水桝や高速道路脇の桝など作業が危険な場所での処分を簡単かつ短時間で行うことができるのである。
前記の通り集水桝の掃除を簡単に行うことができるため、作業の安全性を増すことができるだけでなく、メンテナンスコストを下げることもできる。
また、このゴミキャッチ装置は、深さの異なる集水桝についても、深さの異なるゴミキャッチ装置を製作して対応することなく、一種類のゴミキャッチ装置で兼用できるものとなる。
【００２２】
次に、図２に本発明による集水桝のゴミキャッチ装置１の第２実施例の構成を示す。
【００２３】
本実施例においても、側溝と集水桝とが接続されて排水路が構成されている。そして、本実施例による集水桝のゴミキャッチ装置１についても、連結された側溝２の底面３から集水桝底面４までの長さが異なる各種集水桝へ設置される兼用型ゴミキャッチ装置１として構成される。
【００２４】
この兼用型ゴミキャッチ装置１は、略方形状に折曲して形成した枠体５と、リング状をなす凹部６が外周面を囲んで長手方向に向かい複数個連続形成された棒状基体７を逆凹状に折り曲げ、形成された一対の脚部８と、該脚部８を上部で略直角方向に連結する基部９と、を有して構成された脚部構成部材１０とを備えて構成されるものである。
【図面の簡単な説明】
【００２５】
【図１】本発明による集水桝のゴミキャッチ装置の構成を説明する構成説明図（その１）である。
【図２】本発明による集水桝のゴミキャッチ装置の構成を説明する構成説明図（その２）である。
【図３】本発明による集水桝のゴミキャッチ装置の構成を説明する構成説明図（その３）である。
【図４】本発明による集水桝のゴミキャッチ装置の構成を説明する構成説明図（その４）である。
【図５】本発明による集水桝のゴミキャッチ装置の使用状態を説明する説明図（その１）である。
【図６】本発明による集水桝のゴミキャッチ装置の構成を説明する構成説明図（その５）である。
【図７】本発明による集水桝のゴミキャッチ装置の使用状態を説明する説明図（その２）である。
【符号の説明】
【００２６】
１      ゴミキャッチ装置
２      側溝
３      側溝底面
４      集水桝底面
５      枠体
６      凹部
７      棒状基体
８      脚部
９      基部
１０    脚部構成部材
１１    枠体構成部
１２    収集枠体
１３    長さ調整部材
１４    ゴミ収集ネット
１５    ネット
１６    紐
１７    基端部
【図１】
0006358749.tif 000002
【図２】
0006358749.tif 000003
【図３】
0006358749.tif 000004
【図４】
0006358749.tif 000005
【図５】
0006358749.tif 000006
【図６】
0006358749.tif 000007
【図７】
0006358749.tif 000008